(57)【要約】【課題】導電路を外装部材に挿通する際の作業性を良好にしつつ外装部材内での導電路の振れを抑制することが可能なワイヤハーネス、及びワイヤハーネスの製造方法を提供する。【解決手段】ワイヤハーネスのハーネス本体１９は、管体形状の外装部材２２と、この外装部材２２に挿通される導電路２１と、複数の振動抑制部材２３とを備えて構成される。振動抑制部材２３は、導電路２１の挿通後に外装部材２２の管外面２８側から組み付けられて管内面２９に突出する管内突出部３０を有する。振動抑制部材２３が外装部材２２に組み付けられると、管内突出部３０が外装部材２２の内部所定位置での導電路２１の遊び率を減らし、その結果、振れが抑制される。従って、導電路２１は、振動抑制部材２３により外装部材２２との相対的な振動が抑制される。【選択図】図２
2017060206.tif 000002
【特許請求の範囲】
【請求項１】
管体形状の外装部材と、該外装部材に挿通・保護される一又は複数本の導電路とを備えるワイヤハーネスにおいて、
当該ワイヤハーネスは、前記外装部材の内部所定位置での前記導電路の遊び率を減らして振れを抑制する一又は複数の振動抑制部材を更に備え、
該振動抑制部材は、前記導電路の挿通後に前記外装部材の管外面側から組み付けられて管内面に突出する管内突出部を有する
ことを特徴とするワイヤハーネス。
【請求項２】
請求項１に記載のワイヤハーネスにおいて、
少なくとも当該ワイヤハーネスをストレートに配索する部分を含んで前記振動抑制部材を前記外装部材に組み付ける
ことを特徴とするワイヤハーネス。
【請求項３】
請求項２に記載のワイヤハーネスにおいて、
前記ストレートに配索する部分の前記外装部材の断面形状を丸形にする
ことを特徴とするワイヤハーネス。
【請求項４】
請求項２又は３に記載のワイヤハーネスにおいて、
自動車の車両床下に前記ストレートに配索する部分を配置する
ことを特徴とするワイヤハーネス。
【請求項５】
請求項１、２、３又は４に記載のワイヤハーネスにおいて、
前記振動抑制部材を複数備え、且つ前記外装部材の管軸方向に沿って所定間隔で直線的に、又は千鳥状に、或いは管軸回りで等ピッチ位置に前記振動抑制部材を組み付ける
ことを特徴とするワイヤハーネス。
【請求項６】
請求項５に記載のワイヤハーネスにおいて、
前記所定間隔を略２００ｍｍとする
ことを特徴とするワイヤハーネス。
【請求項７】
請求項１、２、３、４、５又は６に記載のワイヤハーネスにおいて、
前記振動抑制部材を弾性変形可能な材料にて形成する
ことを特徴とするワイヤハーネス。
【請求項８】
請求項１、２、３、４、５、６又は７に記載のワイヤハーネスにおいて、
前記振動抑制部材は、前記外装部材に形成される貫通孔に対し貫通する外装貫通部と、前記外装部材の前記管外面に配設される管外突出部とを有し、前記貫通孔を前記管外突出部にて覆う形状に形成する
ことを特徴とするワイヤハーネス。
【請求項９】
請求項８に記載のワイヤハーネスにおいて、
前記貫通孔を水抜き孔として使用可能に形成する
ことを特徴とするワイヤハーネス。
【請求項１０】
請求項８又は９に記載のワイヤハーネスにおいて、
前記振動抑制部材同士を連結するための連結部を前記管外突出部に一体形成する
ことを特徴とするワイヤハーネス。
【請求項１１】
管体形状の外装部材に一又は複数本の導電路を挿通する第一工程と、
該第一工程の後、管内突出部を有する振動抑制部材を前記外装部材の管外面側から組み付けて前記管内突出部を管内面に突出させる第二工程と
を含んで製造する
ことを特徴とするワイヤハーネスの製造方法。
【発明の詳細な説明】
【技術分野】
【０００１】
本発明は、管体形状の外装部材と、この外装部材に挿通・保護される一又は複数本の導電路とを備えるワイヤハーネスに関する。また、ワイヤハーネスの製造方法に関する。
【背景技術】
【０００２】
自動車に搭載される機器間を電気的に接続するためにワイヤハーネスが用いられる。ワイヤハーネスは、管体形状の外装部材と、この外装部材に収容される一又は複数本の導電路とを備えて構成される。例えば下記特許文献１のワイヤハーネスにあっては、自動車の車両床下を通るように配索される。ワイヤハーネスは、車両床下に対応する部分がストレートに配索される。このようなワイヤハーネスは、長尺に形成される。尚、下記特許文献１では、特にストレートに配索される部分に関し次のようなことが分かる。すなわち、外装部材内の導電路が走行中の振動等により振れてしまうということが分かる。
【先行技術文献】
【特許文献】
【０００３】
【特許文献１】特開２０１１−２５４６１４号公報
【発明の概要】
【発明が解決しようとする課題】
【０００４】
上記従来技術にあっては、外装部材内の導電路が走行中の振動により振れてしまうと、導電路の被覆が（シールド機能を有する場合、導電路外側の編組や金属箔が）当たって損傷してしまうという問題点を有する。そこでこの問題点を解消するために、外装部材の内部に導電路の振動を抑制するための部材を設けたり、外装部材の径を小さくしたりするような対策案が考えられる。しかしながら、このような対策案を採用すると、導電路を外装部材に挿通する際の作業性が悪くなってしまうという問題点を有する。
【０００５】
本発明は、上記した事情に鑑みてなされたもので、導電路を外装部材に挿通する際の作業性を良好にしつつ外装部材内での導電路の振れを抑制することが可能なワイヤハーネス、及びワイヤハーネスの製造方法を提供することを課題とする。
【課題を解決するための手段】
【０００６】
上記課題を解決するためになされた請求項１に記載の本発明のワイヤハーネスは、管体形状の外装部材と、該外装部材に挿通・保護される一又は複数本の導電路とを備えるワイヤハーネスにおいて、当該ワイヤハーネスは、前記外装部材の内部所定位置での前記導電路の遊び率を減らして振れを抑制する一又は複数の振動抑制部材を更に備え、該振動抑制部材は、前記導電路の挿通後に前記外装部材の管外面側から組み付けられて管内面に突出する管内突出部を有することを特徴とする。
【０００７】
このような特徴を有する本発明によれば、導電路を外装部材に収容した後、外装部材の管外面側から振動抑制部材が組み付けられる。導電路の挿通作業の際には、振動抑制部材がまだ組み付けられないことから、作業性は良好である。振動抑制部材が組み付けられると、この振動抑制部材の管内突出部が外装部材の内部所定位置での導電路の遊び率を減らし、その結果、振れが抑制される。導電路は、振動抑制部材により外装部材との相対的な振動が抑制される。
【０００８】
請求項２に記載の本発明は、請求項１に記載のワイヤハーネスにおいて、少なくとも当該ワイヤハーネスをストレートに配索する部分を含んで前記振動抑制部材を前記外装部材に組み付けることを特徴とする。
【０００９】
このような特徴を有する本発明によれば、ワイヤハーネスをストレートに配索する部分が導電路の振れ易い箇所になり、このストレートに配索する部分に対し振動抑制部材が組み付けられる。従って、振れ易い箇所であっても、導電路と外装部材との相対的な振動が抑制される。
【００１０】
請求項３に記載の本発明は、請求項２に記載のワイヤハーネスにおいて、前記ストレートに配索する部分の前記外装部材の断面形状を丸形にすることを特徴とする。
【００１１】
このような特徴を有する本発明によれば、外装部材の断面形状が丸形の場合に導電路が振れ易くなり、この断面丸形の部分に対し振動抑制部材が組み付けられる。従って、振れ易い箇所であっても、導電路と外装部材との相対的な振動が抑制される。
【００１２】
請求項４に記載の本発明は、請求項２又は３に記載のワイヤハーネスにおいて、自動車の車両床下に前記ストレートに配索する部分を配置することを特徴とする。
【００１３】
このような特徴を有する本発明によれば、自動車の車両床下のような長尺でストレートに配索する部分に対し振動抑制部材が組み付けられる。従って、振れ易い箇所であっても、導電路と外装部材との相対的な振動が抑制される。
【００１４】
請求項５に記載の本発明は、請求項１、２、３又は４に記載のワイヤハーネスにおいて、前記振動抑制部材を複数備え、且つ前記外装部材の管軸方向に沿って所定間隔で直線的に、又は千鳥状に、或いは管軸回りで等ピッチ位置に前記振動抑制部材を組み付けることを特徴とする。
【００１５】
このような特徴を有する本発明によれば、複数の振動抑制部材が所定間隔で直線的に、又は千鳥状に、或いは管軸回りで等ピッチ位置で組み付けられる。複数の振動抑制部材は規則的な位置に組み付けられて、そして、管内突出部が振れを抑制することから、導電路と外装部材との相対的な振動が良好に抑制される。
【００１６】
請求項６に記載の本発明は、請求項５に記載のワイヤハーネスにおいて、前記所定間隔を略２００ｍｍとすることを特徴とする。
【００１７】
このような特徴を有する本発明によれば、複数の振動抑制部材が略２００ｍｍ間隔で組み付けられて、そして、管内突出部が導電路の振れを抑制することから、導電路と外装部材との相対的な振動が良好に抑制される。尚、略２００ｍｍ間隔は、自動車に配索されるワイヤハーネスの振動対策において有効な間隔の一つである。
【００１８】
請求項７に記載の本発明は、請求項１、２、３、４、５又は６に記載のワイヤハーネスにおいて、前記振動抑制部材を弾性変形可能な材料にて形成することを特徴とする。
【００１９】
このような特徴を有する本発明によれば、導電路からの力を受けて管内突出部が弾性変形する。すなわち、振動が弾性変形により吸収されることから、結果、導電路と外装部材との相対的な振動が抑制される。尚、本発明によれば、管内突出部が弾性変形することから、導電路が単線及び複線のいずれであっても対応させることが可能になる。
【００２０】
請求項８に記載の本発明は、請求項１、２、３、４、５、６又は７に記載のワイヤハーネスにおいて、前記振動抑制部材は、前記外装部材に形成される貫通孔に対し貫通する外装貫通部と、前記外装部材の前記管外面に配設される管外突出部とを有し、前記貫通孔を前記管外突出部にて覆う形状に形成することを特徴とする。
【００２１】
このような特徴を有する本発明によれば、管内突出部と外装貫通部と管外突出部とを有する振動抑制部材であり、導電路の挿通後において外装部材の管外面側から組み付けられる。外装部材には貫通孔が形成され、この貫通孔に管内突出部を差し込むようにして振動抑制部材が組み付けられる。貫通孔は管外突出部にて覆われることから、外装部材内への水分の浸入や、埃、異物の混入等は阻止される。この他、本発明によれば、管外突出部を目視することで、組み付け忘れの確認をすることが可能になる。
【００２２】
請求項９に記載の本発明は、請求項８に記載のワイヤハーネスにおいて、前記貫通孔を水抜き孔として使用可能に形成することを特徴とする。
【００２３】
このような特徴を有する本発明によれば、仮に外装部材内に水分が溜まったとしても、貫通孔を介して排水される。
【００２４】
請求項１０に記載の本発明は、請求項８又は９に記載のワイヤハーネスにおいて、前記振動抑制部材同士を連結するための連結部を前記管外突出部に一体形成することを特徴とする。
【００２５】
このような特徴を有する本発明によれば、連結部を介して複数の振動抑制部材同士が一体になることから、振動抑制部材を一つ一つ持つよりも作業をし易くすることが可能になる。また、部品管理を煩雑にさせないようにすることも可能になる。
【００２６】
また、上記課題を解決するためになされた請求項１１に記載の本発明のワイヤハーネスの製造方法は、管体形状の外装部材に一又は複数本の導電路を挿通する第一工程と、該第一工程の後、管内突出部を有する振動抑制部材を前記外装部材の管外面側から組み付けて前記管内突出部を管内面に突出させる第二工程とを含んで製造することを特徴とする。
【００２７】
このような特徴を有する本発明によれば、外装部材に導電路を挿通した後に外装部材の管外面側から振動抑制部材を組み付けると、振動抑制部材の管内突出部が外装部材の内部所定位置での導電路の遊び率を減らし、その結果、振れが抑制される。導電路は、振動抑制部材により外装部材との相対的な振動が抑制される。
【発明の効果】
【００２８】
請求項１に記載された本発明によれば、導電路を外装部材に挿通する際の作業性を良好にしつつ外装部材内での導電路の振れを抑制することができるという効果を奏する。
【００２９】
請求項２に記載された本発明によれば、ワイヤハーネスをストレートに配索する部分、すなわち振れ易い部分であっても、外装部材内での導電路の振れを抑制することができるという効果を奏する。
【００３０】
請求項３に記載された本発明によれば、断面丸形になる部分、すなわち振れ易い形状の部分であっても、外装部材内での導電路の振れを抑制することができるという効果を奏する。
【００３１】
請求項４に記載された本発明によれば、自動車の車両床下のような長尺でストレートに配索する部分、すなわち振れ易い部分であっても、外装部材内での導電路の振れを抑制することができるという効果を奏する。
【００３２】
請求項５に記載された本発明によれば、複数の振動抑制部材を規則的な配置で組み付けることにより、外装部材内での導電路の振れを良好に抑制することができるという効果を奏する。
【００３３】
請求項６に記載された本発明によれば、複数の振動抑制部材を略２００ｍｍ間隔で組み付けることにより、外装部材内での導電路の振れを良好に抑制することができるという効果を奏する。
【００３４】
請求項７に記載された本発明によれば、管内突出部の弾性変形により振動を吸収することから、結果、外装部材内での導電路の振れを抑制することができるという効果を奏する。また、本発明によれば、
【００３５】
請求項８に記載された本発明によれば、管内突出部と外装貫通部と管外突出部とを有する振動抑制部材であることから、管内突出部にて導電路の遊び率を減らし振れを抑制することができ、また、外装貫通部にて外装部材の貫通孔に貫通させることができ、さらには、管外突出部にて貫通孔を覆うことができるという効果を奏する。すなわち、より良い構造の振動抑制部材を提供することができるという効果を奏する。
【００３６】
請求項９に記載された本発明によれば、外装部材の貫通孔を介して外装部材内に溜まった水分を排水することができるという効果を奏する。本発明は、振動抑制部材の取り付け部分以外に貫通孔を有効に活用することができるという効果を奏する。
【００３７】
請求項１０に記載された本発明によれば、連結部を介して複数の振動抑制部材同士を一体化することから、作業性の向上や部品管理の向上に寄与することができるという効果を奏する。
【００３８】
請求項１１に記載された本発明によれば、ワイヤハーネスの製造方法を採用することにより、導電路を外装部材に挿通する際の作業性を良好にしつつ外装部材内での導電路の振れを抑制することができるという効果を奏する。
【図面の簡単な説明】
【００３９】
【図１】本発明のワイヤハーネスを示す図であり、（ａ）は高電圧のワイヤハーネスの配索状態を示す模式図、（ｂ）は（ａ）とは別の低電圧のワイヤハーネスの配索状態を示す模式図である。
【図２】本発明のワイヤハーネスの構成を示す斜視図である。
【図３】図２の外装部材と導電路を示すとともにワイヤハーネスの製造方法に係る第一工程を示す図であり、（ａ）は外装部材の斜視図、（ｂ）は外装部材に導電路を挿通した状態の斜視図である。
【図４】図２のＡ−Ａ線断面図である。
【図５】ワイヤハーネスの製造方法に係る第一工程及び第二工程を示す図であり、（ａ）は図３のＢ−Ｂ線断面図（第一工程）、（ｂ）は図２のＣ−Ｃ線断面図（第二工程）である。
【図６】振動抑制部材の組み付け位置を変えた図であり、（ａ）は振動抑制部材を千鳥状に組み付けた場合の断面図、（ｂ）は導電路を下方に押し付けるように振動抑制部材を組み付けた場合の断面図である。
【図７】連結部を介して複数の振動抑制部材同士を一体化させた状態を示す図であり、（ａ）は上下方向に一体化させた場合の斜視図、（ｂ）は管軸方向に沿って一体化させた場合の斜視図である。
【図８】外装部材の貫通孔を水抜き孔として使用した場合の説明図である。
【図９】図２と異なるワイヤハーネスを示す図であり、（ａ）は導電路が二本の場合の断面図、（ｂ）は導電路が三本の場合の断面図である。
【発明を実施するための形態】
【００４０】
ワイヤハーネスは、管体形状の外装部材と、この外装部材に挿通・保護される一又は複数本の導電路とを備えて構成される。また、ワイヤハーネスは、一又は複数の振動抑制部材を更に備えて構成される。振動抑制部材は、導電路の挿通後に外装部材の管外面側から組み付けられて管内面に突出する管内突出部を有する。導電路の挿通後に振動抑制部材が外装部材に組み付けられることから、導電路の挿通に係る作業性は良好である。振動抑制部材が組み付けられると、この振動抑制部材の管内突出部が外装部材の内部所定位置での導電路の遊び率を減らし、その結果、振れが抑制される。導電路は、振動抑制部材により外装部材との相対的な振動が抑制される。
【実施例】
【００４１】
以下、図面を参照しながら実施例を説明する。図１は本発明のワイヤハーネスを示す図である。また、図２は本発明のワイヤハーネスの構成を示す斜視図、図３は図２の外装部材と導電路を示すとともにワイヤハーネスの製造方法に係る第一工程を示す図、図４は図２のＡ−Ａ線断面図、図５はワイヤハーネスの製造方法に係る第一工程及び第二工程を示す図である。
【００４２】
本実施例においては、ハイブリッド自動車（電気自動車やエンジンで走行する一般的な自動車等であってもよいものとする）に配索されるワイヤハーネスに対し本発明を採用する。
【００４３】
＜ハイブリッド自動車１の構成について＞
図１（ａ）において、引用符号１はハイブリッド自動車を示す。ハイブリッド自動車１は、エンジン２及びモータユニット３の二つの動力をミックスして駆動する車両であって、モータユニット３にはインバータユニット４を介してバッテリー５（電池パック）からの電力が供給される。エンジン２、モータユニット３、及びインバータユニット４は、本実施例において前輪等がある位置のエンジンルーム６に搭載される。また、バッテリー５は、後輪等がある自動車後部７に搭載される（エンジンルーム６の後方に存在する自動車室内に搭載してもよいものとする）。
【００４４】
モータユニット３とインバータユニット４は、高圧のワイヤハーネス８（高電圧用のモーターケーブル）により接続される。また、バッテリー５とインバータユニット４も高圧のワイヤハーネス９により接続される。ワイヤハーネス９は、この中間部１０が車両における（車体における）車両床下１１に配索される。また、中間部１０は、車両床下１１に沿って略平行に配索される。車両床下１１は、公知のボディ（車体）であるとともに所謂パネル部材であって、所定位置には貫通孔が形成される。この貫通孔には、ワイヤハーネス９が水密に挿通される。
【００４５】
ワイヤハーネス９とバッテリー５は、このバッテリー５に設けられるジャンクションブロック１２を介して接続される。ジャンクションブロック１２には、ワイヤハーネス９の後端側のハーネス端末１３に配設されたシールドコネクタ１４等の外部接続手段が電気的に接続される。また、ワイヤハーネス９とインバータユニット４は、前端側のハーネス端末１３に配設されたシールドコネクタ１４等の外部接続手段を介して電気的に接続される。
【００４６】
モータユニット３は、モータ及びジェネレータを含んで構成される。また、インバータユニット４は、インバータ及びコンバータを構成に含んで構成される。モータユニット３は、シールドケースを含むモータアッセンブリとして形成される。また、インバータユニット４もシールドケースを含むインバータアッセンブリとして形成される。バッテリー５は、Ｎｉ−ＭＨ系やＬｉ−ｉｏｎ系のものであって、モジュール化することによりなる。尚、例えばキャパシタのような蓄電装置を使用することも可能である。バッテリー５は、ハイブリッド自動車１や電気自動車に使用可能であれば特に限定されないのは勿論である。
【００４７】
図１（ｂ）において、引用符号１５はワイヤハーネスを示す。ワイヤハーネス１５は、低圧の（低電圧用の）ものであって、ハイブリッド自動車１における自動車後部７の低圧バッテリー１６と、自動車前部１７に搭載される補器１８（機器）とを電気的に接続するために備えられる。ワイヤハーネス１５は、図１（ａ）のワイヤハーネス９と同様に、車両床下１１を通って配索される（一例であり、車室側を通って配索されてもよいものとする）。
【００４８】
図１（ａ）及び（ｂ）に示す如く、ハイブリッド自動車１には、高圧のワイヤハーネス８、９及び低圧のワイヤハーネス１５が配索される。本発明は、いずれのワイヤハーネスであっても適用可能であるが、代表例として低圧のワイヤハーネス１５を挙げて以下に説明をする。
【００４９】
＜ワイヤハーネス１５の構成について＞
図１（ｂ）において、車両床下１１を通って配索される（車両床下１１ではストレートに配索される）長尺なワイヤハーネス１５は、ハーネス本体１９と、このハーネス本体１９の両端末にそれぞれ配設されるコネクタ２０とを備えて構成される。また、ワイヤハーネス１５は、これ自身を所定位置に配索するための固定部材（例えばクランプ等）と、図示しない止水部材（例えばグロメット等）とを備えて構成される。
【００５０】
＜ハーネス本体１９の構成について＞
図２において、ハーネス本体１９は、一本の導電路２１と、この導電路２１を収容保護する外装部材２２と、複数の振動抑制部材２３とを備えて構成される。尚、導電路２１の本数に関し、本実施例においては一本であるが、これは一例であるものとする（二本及び三本の場合は図９を参照しながら後述する。複数本の場合、高圧のワイヤハーネス９を一緒にしてもよいものとする）。先ず、ハーネス本体１９における導電路２１の構成及び構造について説明をし、次に、外装部材２２の構成及び構造、振動抑制部材２３の構成及び構造について説明をする。
【００５１】
＜導電路２１の構成及び構造について＞
図２において、導電路２１は、導電性を有する導体と、この導体の外側に設けられる絶縁性の絶縁体（被覆）とを備えて構成される。導体は、銅や銅合金、或いはアルミニウムやアルミニウム合金により断面円形に形成される。導体に関しては、素線を撚り合わせてなる導体構造のものや、断面矩形又は円形（丸形）になる棒状の導体構造（例えば平角単心や丸単心となる導体構造であり、この場合、電線自体も棒状となる）のもののいずれであってもよいものとする。以上のような導体は、この外面に絶縁性の樹脂材料からなる絶縁体が押出成形される。
【００５２】
絶縁体は、熱可塑性樹脂材料を用いて導体の外周面に押出成形される。絶縁体は、断面円形状の被覆として形成される。絶縁体は、所定の厚みを有して形成される。上記熱可塑性樹脂としては、公知の様々な種類のものが使用可能であり、例えばポリ塩化ビニル樹脂やポリエチレン樹脂、ポリプロピレン樹脂などの高分子材料から適宜選択される。尚、引用符号２４は導電路２１の外周面（ここでは絶縁体の外周面に相当）を示す。
【００５３】
＜外装部材２２の構成及び構造について＞
図２及び図３において、外装部材２２は、樹脂成形にて一本の真っ直ぐな管体形状のものに形成される（使用前は真っ直ぐである。尚、樹脂製に限らず金属製であってもよいものとする）。また、外装部材２２は、腹割きなしの形状に形成される。別な言い方をすれば、スリットのない形状に形成される（割チューブでない形状に形成される）。さらに、外装部材２２は、断面円形状に形成される（本実施例のような真円形状に限らず、例えば断面長円形状や楕円形状、矩形状等であってもよいものとする。断面形状は、収容された導電路２１の遊び率が大きくなる形状であれば特に限定されないものとする）。
【００５４】
このような外装部材２２は、可撓性を有する可撓管部２５（図３参照）と、導電路２１をストレートに配索する部分としてのストレート管部２６とを有する。可撓管部２５とストレート管部２６は、複数形成される。また、これらは交互に配置形成される。
【００５５】
＜可撓管部２５について＞
図３において、可撓管部２５は、車両取付形状（ワイヤハーネス配索先の形状。固定対象の形状）に合わせて配置形成される。また、可撓管部２５は、車両取付形状に合わせた長さにも形成される。可撓管部２５の長さは一定でなく、車両取付形状に合わせて必要な長さにそれぞれ形成される。このような可撓管部２５は、ワイヤハーネス１５（図１参照）の梱包状態や輸送時、車両への経路配索時に、それぞれ所望の角度で撓ませることができるように形成される。すなわち、可撓管部２５は、撓ませて曲げ形状にすることができるとともに、図示のような真っ直ぐな元の状態（樹脂成形時の状態）に戻すことも当然にできるように形成される。
【００５６】
可撓管部２５は、本実施例において、蛇腹管形状に形成される（可撓性を有すれば形状は特に限定されないものとする）。具体的には、周方向の蛇腹凹部及び蛇腹凸部を有するとともに、これら蛇腹凹部及び蛇腹凸部が管軸方向に交互に連続するように形成される。
【００５７】
＜ストレート管部２６について＞
図２ないし図５において、ストレート管部２６は、可撓管部２５（図３参照）のような可撓性を持たない部分として形成される。また、ストレート管部２６は、梱包状態や輸送時、経路配索時において曲がらない部分としても形成される（曲がらない部分とは、可撓性を積極的に持たせない部分という意味である）。図中のストレート管部２６は、長い直管形状に形成される。
【００５８】
ストレート管部２６は、可撓管部２５（図３参照）と比べ、リジッドな部分に形成される。ストレート管部２６は、車両取付形状に合わせた位置や長さに形成される。ストレート管部２６は、本実施例において、少なくとも車両床下１１（図１参照）に配置される部分として形成される。このようなストレート管部２６には、本発明の特徴になる複数の振動抑制部材２３が後付けにて組み付けられる。そのためストレート管部２６には、貫通孔２７が複数形成される。
【００５９】
＜貫通孔２７について＞
図３において、貫通孔２７は、振動抑制部材２３を組み付けるための部分であって、ストレート管部２６の管外面２８及び管内面２９を貫通するような円形の孔として形成される。尚、貫通孔２７の開口径は適宜設定されるものとする。貫通孔２７は、例えば走行中の振動方向に沿って（図の紙面上下方向に沿って、また、９０度ピッチで）配置形成される。また、貫通孔２７は、外装部材２２の管軸ＣＬの方向に沿って直線的に並ぶように配置形成される。具体的には、所定間隔Ｐで直線的に並ぶように配置形成される。所定間隔Ｐに関し、ここでは略２００ｍｍが設定される。この２００ｍｍとは、上述の図示しない固定部材（例えばクランプ）の取り付け間隔と同じ寸法である。貫通孔２７は、上下に、また、所定間隔Ｐで直線的に並ぶことから、振動抑制部材２３もこのような位置で組み付けられる。
【００６０】
＜振動抑制部材２３の構成及び構造について＞
図２、図４、及び図５において、振動抑制部材２３は、外装部材２２内での導電路２１の振れを抑制する（吸収する）ための部材であって、弾性変形可能な材料（例えばゴム材）にて例えば図示形状に形成される。また、振動抑制部材２３は、図からも分かるように、外装部材２２内の所定位置（貫通孔２７が形成される位置）で、導電路２１の遊び率を減らすような形状に形成される。このような振動抑制部材２３には、管内突出部３０と、外装貫通部３１と、管外突出部３２とが形成される。振動抑制部材２３は、導電路２１の挿通後に外装部材２２の管外面２８側から組み付けられる。
【００６１】
尚、振動抑制部材２３は、導電路２１の本数に応じて使い分けることができるような、複数種のものが用意されるものとする。図２、図４、及び図５では、一本の導電路２１に対応する振動抑制部材２３が用いられる。
【００６２】
＜管内突出部３０について＞
図２、図４、及び図５において、管内突出部３０は、導電路２１の挿通後に外装部材２２の管外面２８側から振動抑制部材２３が組み付けられると、管内面２９に突出するような形状に形成される。尚、本実施例においては円柱形状に形成されるが、この形状に限定されないものとする。管内突出部３０は、この先端が導電路２１の外周面２４に対し軽く接するような長さに、又は、押し付けられて弾性変形するような長さに、或いは、上側に組み付けられる振動抑制部材２３の場合、外周面２４の近傍に位置するような長さに形成される。本実施例においては、押し付けるような長さに形成される。すなわち、導電路２１を上下で挟み込むことにより保持するような長さに形成される。
【００６３】
管内突出部３０の基端部分には、環状の係止凸部３３が形成される。この係止凸部３３は、振動抑制部材２３の抜けを防止するための部分として形成される（ここでの形状は一例である）。尚、係止凸部３３を形成せず、圧入によって抜け止めをするような形状部分にしてもよいものとする。
【００６４】
＜外装貫通部３１について＞
図２、図４、及び図５において、外装貫通部３１は、外装部材２２の貫通孔２７に対し貫通する部分として形成される。外装貫通部３１は、貫通孔２７が円形であることから、これと同様の円形に形成される。本実施例の外装貫通部３１は、貫通孔２７を完全に塞ぐことができるような大きさに形成される（一例であるものとする。図８の例に関しては後述する）。
【００６５】
＜管外突出部３２について＞
図２、図４、及び図５において、管外突出部３２は、外装部材２２の管外面２８の側に配設される部分として形成される。このような管外突出部３２は、貫通孔２７を覆う形状に形成される。また、管外突出部３２は、係止凸部３３と共に貫通孔２７の縁部を挟み込んで係止する形状に形成される。
【００６６】
管外突出部３２に関し、これは外側から見える形状部分であることから、目視にて組み付け忘れの確認をすることができるのは勿論である。
【００６７】
＜ワイヤハーネス１５の製造方法について＞
図１において、ワイヤハーネス１５は、先ずハーネス本体１９の部分が製造される。図２に示すようなハーネス本体１９の部分は、第一工程と第二工程とを順に経て製造される。
【００６８】
第一工程では、図３（ａ）に示すように外装部材２２を準備する作業を行い、この後、図３（ｂ）に示すように導電路２１を外装部材２２の一端開口部から他端開口部に向けて挿通する作業を行う。挿通作業においては、ストレート管部２６の管内面２９に例えば突出する部分がないことから、スムーズに導電路２１を挿通することができる。
【００６９】
第二工程では、振動抑制部材２３を外装部材２２の管外面２８の側から組み付ける作業を行う。組み付け作業にあたっては、貫通孔２７に管内突出部３０を先ず差し込み、そして、次に管外突出部３２を作業者の指で押し込むようなことを行う。振動抑制部材２３が貫通孔２７の縁部に係止され、全ての振動抑制部材２３の組み付けが終わると、ハーネス本体１９の部分の製造が完了する。
【００７０】
＜本発明のまとめ及び効果について＞
図１ないし図６を参照しながら説明してきたように、本発明に係るワイヤハーネス１５は、管体形状の外装部材２２と、この外装部材２２に挿通される導電路２１と、複数の振動抑制部材２３とを備えて構成される。本発明では、導電路２１の挿通後に振動抑制部材２３が外装部材２２に組み付けられることから、導電路２１の挿通に係る作業性は良好である。
【００７１】
振動抑制部材２３は、導電路２１の挿通後に外装部材２２の管外面２８側から組み付けられて管内面２９に突出する管内突出部３０を有する。振動抑制部材２３が外装部材２２に組み付けられると、振動抑制部材２３の管内突出部３０が外装部材２２の内部所定位置での導電路２１の遊び率を減らし、その結果、振れが抑制される。従って、導電路２１は、振動抑制部材２３により外装部材２２との相対的な振動が抑制される。
【００７２】
以上、本発明によれば、導電路２１を外装部材２２に挿通する際の作業性を良好にしつつ外装部材２２内での導電路２１の振れを抑制することができるという効果を奏する。
【００７３】
＜変形例について＞
次に、図６ないし図９を参照しながら本発明の変形例について説明をする。
【００７４】
図６は振動抑制部材の組み付け位置を変えた図、図７は連結部を介して複数の振動抑制部材同士を一体化させた状態を示す図、図８は外装部材の貫通孔を水抜き孔として使用した場合の説明図、図９は図２と異なるワイヤハーネスを示す図である。
【００７５】
＜振動抑制部材２３の組み付け位置の変更について＞
図６（ａ）において、振動抑制部材２３は、千鳥状に組み付けてもよいものとする。また、図６（ｂ）に示すように、上側に直線的に並ぶように組み付けて導電路２１を外装部材２２の下側の管内面２９に押し付けるようにしてもよいものとする。この他、必要に応じて任意の箇所に追加するように組み付けてもよいものとする。
【００７６】
＜振動抑制部材２３の形状変形例について＞
図７（ａ）において、上下の振動抑制部材２３同士は、連結部３４を管外突出部３２に一体形成することにより連結にしてもよいものとする。また、図７（ｂ）に示すように、管軸ＣＬ（図２参照）に沿って連結部３４にて振動抑制部材２３同士を連結してもよいものとする。
【００７７】
このような振動抑制部材２３によれば、連結部３４を介して複数が一体になることから、振動抑制部材２３を一つ一つ持って作業するよりもし易くなるのは勿論である。また、部品管理が煩雑にならないのも勿論である。
【００７８】
＜貫通孔２７の変形例について＞
図８において、外装部材２２の貫通孔２７を図示のように例えば長円形状に形成すれば、水抜き孔として使用することができるのは勿論である。すなわち、外装部材２２内に仮に水分が溜まったとしても、貫通孔２７と外装貫通部３１との間の隙間３５を介して排水することができる。
【００７９】
＜導電路２１の本数の変更について＞
図９（ａ）において、導電路２１が二本、外装部材２２に挿通されても、この二本の導電路２１は振動抑制部材２３により外装部材２２との相対的な振動が抑制されるのは勿論である。また、図９（ｂ）に示すように、導電路２１が三本の場合も同様に外装部材２２との相対的な振動が抑制されるのは勿論である。
【００８０】
本発明は本発明の主旨を変えない範囲で種々変更実施可能なことは勿論である。
【００８１】
以上の説明から分かるように、振動抑制部材２３により導電路２１と外装部材２２との相対的な振動が抑制される。仮に、導電路２１の外周面２４が外装部材２２の管内面２９に当たったとしても、従来に比べ格段に軽減されることから、導電路２１はダメージを受けることはない（シールド機能を有する導電路の場合、編組や金属箔へのダメージは問題ない）。
【符号の説明】
【００８２】
１…ハイブリッド自動車（自動車）、  ２…エンジン、  ３…モータユニット、  ４…インバータユニット、  ５…バッテリー、  ６…エンジンルーム、  ７…自動車後部、  ８、９…ワイヤハーネス、  １０…中間部、  １１…車両床下、  １２…ジャンクションブロック、  １３…ハーネス端末、  １４…シールドコネクタ、  １５…ワイヤハーネス、  １６…低圧バッテリー、  １７…自動車前部、  １８…補器、  １９…ハーネス本体、  ２０…コネクタ、  ２１…導電路、  ２２…外装部材、  ２３…振動抑制部材、  ２４…外周面、  ２５…可撓管部、  ２６…ストレート管部、  ２７…貫通孔、  ２８…管外面、  ２９…管内面、  ３０…管内突出部、  ３１…外装貫通部、  ３２…管外突出部、  ３３…係止凸部、  ３４…連結部、  ３５…隙間、  Ｐ…所定間隔、  ＣＬ…管軸
【図１】
2017060206.tif 000003
【図２】
2017060206.tif 000004
【図３】
2017060206.tif 000005
【図４】
2017060206.tif 000006
【図５】
2017060206.tif 000007
【図６】
2017060206.tif 000008
【図７】
2017060206.tif 000009
【図８】
2017060206.tif 000010
【図９】
2017060206.tif 000011